(57)【要約】      （修正有）【課題】容易に他の物品に収容され、携帯便利性の利点を達し、他の物品と巻き付き易くなくした信号ケーブルを提供する。【解決手段】信号ケーブルは、ケーブル本体１０と、ケーブル本体の一端に設けられた第一信号アダプタ２０と、ケーブル本体のもう一端に設けられた第二信号アダプタ３０と、通り穴が設けられ、ケーブル本体が折られて通り穴を通過し、第一信号アダプタと第二信号アダプタとに当接されるスライダー４０と、を含む。【選択図】図３
0003198438.tif 000002
【実用新案登録請求の範囲】
【請求項１】
ケーブル本体と、
該ケーブル本体の一端に設けられた第一信号アダプタと、
該ケーブル本体のもう一端に設けられた第二信号アダプタと、
通り穴が設けられ、該ケーブル本体が折られて該通り穴を通過し、該第一信号アダプタと該第二信号アダプタとに当接されるスライダーと、
を含むことを特徴とする信号ケーブル。
【請求項２】
さらにカバーを備え、該カバーが、該第一信号アダプタと該第二信号アダプタとが該スライダーに当接した場合に、該第一信号アダプタと該第二信号アダプタとをカバーすることを特徴とする請求項１に記載の信号ケーブル。
【請求項３】
該スライダーには、さらに該通り穴の一端に位置決め棒が設けられ、該ケーブル本体の両端がそれぞれに位置決め棒の両端に対応して位置することを特徴とする請求項２に記載の信号ケーブル。
【請求項４】
該ケーブル本体がさらに電池と結合し、該電池が該第一信号アダプタ又は該第二信号アダプタと電気通信で連接することを特徴とする請求項３に記載の信号ケーブル。
【請求項５】
該第一信号アダプタ又は該第二信号アダプタにさらに充電進行状況表示器を設けることを特徴とする請求項４に記載の信号ケーブル。
【請求項６】
該スライダーの上にさらに照明装置を設けることを特徴とする請求項４に記載の信号ケーブル。
【請求項７】
該ケーブル本体に発光装置を設けることを特徴とする請求項３に記載の信号ケーブル。
【請求項８】
該カバーは該スライダーに回動連接されることを特徴とする請求項３に記載の信号ケーブル。
【請求項９】
該カバーにさらに巻上げロープを設けることを特徴とする請求項３に記載の信号ケーブル。
【請求項１０】
該スライダー又は該ケーブル本体に画像表示装置を設けることを特徴とする請求項３に記載の信号ケーブル。
【請求項１１】
該スライダー又は該ケーブル本体に緊急遭難信号発送装置を設けることを特徴とする請求項３に記載の信号ケーブル。
【請求項１２】
該スライダー又は該ケーブル本体に無線信号によって他の物品と信号接続をする物品注意装置を設け、物品が所定の距離を越えた場合には、該物品注意装置が注意通知信号を発送することを特徴とする請求項３に記載の信号ケーブル。
【請求項１３】
該ケーブル本体にさらに装飾品を設けることを特徴とする請求項３に記載の信号ケーブル。
【考案の詳細な説明】
【技術分野】
【０００１】
本考案は、信号ケーブルに関し、特にその両端が接合されて環状になる信号ケーブルに関する。
【背景技術】
【０００２】
携帯型電子機器は迅速に開発され、その機能が日ごとに完備して高性能になるため、人々の日常生活に対し大変助かっている。
【０００３】
例えば、携帯電話、タブレットＰＣなどの携帯型電子装置は、タッチスクリーンを取り付けた後、そのコントロール能力は大幅に向上され、及びその適用な範囲は広くなり、文書の編集、メッセージの伝送、オンライン電子書籍の読み、ゲームの遊びのいずれも行いやすくなるため、それらの使用者の人口数が大量かつ急激に増加する。
【先行技術文献】
【特許文献】
【０００４】
【特許文献１】特開2010-093462号公報
【考案の概要】
【考案が解決しようとする課題】
【０００５】
しかしながら、このような装置が普通のパソコン又はラップトップに接続する場合、無線伝送システムを介して行う他に、普通の実体の電池を有する信号ケーブルで接続しなければならないが、たいていの使用者は信号ケーブルを身に付けることがない。その理由としては、線材の収容が不便であり、カバン内にある他の物品とよじれ易く、さらに全ての使用者がカバンを持っている習慣があることではないからである。よって、使用者がファイルの伝送を行いたい場合、信号ケーブルを身に付けなければ作業の行いができず、不便になる。
【課題を解決するための手段】
【０００６】
本考案の主な目的は信号ケーブルを提供し、該信号ケーブルの両端を固定し、容易に他の物品に収容され、携帯便利性の利点を達し、他の物品と巻き付き易くなく、従来の技術の欠点を克服する。
【０００７】
上記の目的を達成するために、本考案の信号ケーブルは、ケーブル本体と、該ケーブル本体の一端に設けられた第一信号アダプタと、該ケーブル本体のもう一端に設けられた第二信号アダプタと、通り穴が設けられ、該ケーブル本体が折られて該通り穴を通過し、該第一信号アダプタと該第二信号アダプタとに当接されるスライダーと、を含む。
【０００８】
上記の本考案の信号ケーブルによって、スライダーにより第一信号アダプタと第二信号アダプタとを近接させ、ケーブル本体を環状に形成させ、スライダーが下へ移動すると、第一信号アダプタと第二信号アダプタがそれぞれに無制限で自由端になり、それぞれに対応的なソケットに挿入し、電気的に連接するように形成される。
【０００９】
好ましくは、さらにカバーを備え、カバーが、該第一信号アダプタと該第二信号アダプタとが該スライダーに当接した場合に、第一信号アダプタと第二信号アダプタとをカバーする。これによって、未使用の状態で第一信号アダプタと第二信号アダプタとを保護することができる。
【００１０】
好ましくは、該スライダーには、さらに該通り穴の一端に位置決め棒が設けられ、該ケーブル本体の両端がそれぞれに位置決め棒の両端に対応して位置する。これによってスライダーがケーブル本体をすべり出て離れることはない。
【００１１】
好ましくは、該ケーブル本体がさらに電池と結合し、該電池が該第一信号アダプタ又は該第二信号アダプタと電気通信で連接することで、モバイルパワーパックとして使用され、連接される設備に充電を行う。
【００１２】
好ましくは、該第一信号アダプタ又は該第二信号アダプタにさらに充電進行状況表示器を設けることで、充電を完了するか確認する。
【００１３】
好ましくは、該スライダーの上にさらに照明装置を設けることで、照明として使える。
【００１４】
好ましくは、該ケーブル本体に発光装置を設ける。
【００１５】
好ましくは、該カバーは該スライダーに回動連接され、別にカバーを収容する必要はなく、便利性を向上する。
【００１６】
好ましくは、該カバーにさらに巻上げロープを設け、巻上げロープの穴又は他の適当な箇所に縛れることができ、収容便利性が向上する。あるいは、キーホルダーを連接することができ、キーに連接されて携帯されることに用いる。
【００１７】
好ましくは、該スライダー又は該ケーブル本体に画像表示装置を設け、表示情報と合わせる。
【００１８】
好ましくは、該スライダー又は該ケーブル本体に緊急遭難信号発送装置を設け、使用者の救助要請に使用される。
【００１９】
好ましくは、該スライダー又は該ケーブル本体に無線信号によって他の物品と信号接続をする物品注意装置を設け、物品が所定の距離を越えた場合には、該物品注意装置が注意通知信号を発送する。
【００２０】
好ましくは、該ケーブル本体にさらに装飾品を設ける。
【図面の簡単な説明】
【００２１】
【図１】本考案の実施例を示す斜面図である。
【図２】本考案の実施例のもう一つの視角を示す斜面図である。
【図３】本考案の実施例のスライダーが移動された状態を示す斜面図である。
【図４】本考案の実施例のスライダーが移動された状態のもう一つの視角を示す斜面図である。
【図５】本考案の実施例の使用状態を示す図である。
【図６】本考案の実施例の図４に示す状態を示す断面図である。
【図７】本考案の実施例が電池と接合した状態を示す図である。
【図８】本考案の実施例が装飾品と接合した状態を示す図である。
【考案を実施するための形態】
【００２２】
本考案の図面及び実施例を参照した後、当技術領域における通常の知識を有する者が、本考案の他の目的、並びに本考案の技術手段及び実施形態を理解すべきである。
【実施例】
【００２３】
図１〜図６を参照し、本考案の実施例の信号ケーブルは、ケーブル本体１０と、第一信号アダプタ２０と、第二信号アダプタ３０と、スライダー４０とを含む。
【００２４】
第一信号アダプタ２０は該ケーブル本体１０の一端に設けられた。第二信号アダプタ３０は該ケーブル本体１０のもう一端に設けられた。スライダー４０には通り穴４１が設けられ、該ケーブル本体１０が折られて該通り穴４１を通過し、該第一信号アダプタ２０と該第二信号アダプタ３０とが該スライダー４０に当接する。
【００２５】
上記の内容により、本実施例では、本考案を携帯する時に、第一信号アダプタ２０と第二信号アダプタ３０の相対位置を制限することができるので、他の物品にぶつかって発生した摩損を避けられることが分かる。
【００２６】
図面に示すように、スライダー４０はケーブル本体１０の上に移動でき、第一信号アダプタ２０と第二信号アダプタ３０に当接すると、ケーブル本体１０が一つの環状に形成させることができる。さらに、通り穴４１が第一信号アダプタ２０と第二信号アダプタ３０の部分を収容させ、第一信号アダプタ２０と第二信号アダプタ３０の位置を固定し、携帯便利性を向上することができる。
【００２７】
本考案を使用する時に、スライダー４０を引き出し、第一信号アダプタ２０と第二信号アダプタ３０がそれぞれに方向を変え、対応的なソケットに挿入させ、信号又は電力の伝送を行う。また、該第一信号アダプタ２０と第二信号アダプタ３０は、それぞれにアップルＬｉｇｈｔｎｉｎｇ（AppleR Lightning）アダプタ、ゴールドフィンガー、又はミニＵＳＢなどの種類のアダプタである。
【００２８】
さらに、１つのカバー５０を設けることができる。カバー５０は、該第一信号アダプタ２０と該第二信号アダプタ３０とが該スライダー４０に当接した場合に、第一信号アダプタ２０と第二信号アダプタ３０とをカバーすることに用いられ、保護の効果を具備する。
【００２９】
好ましくは、さらに１つの位置決め棒４１１を設けることができ、該通り穴４１の一端に設けられ、該ケーブル本体１０の両端がそれぞれに位置決め棒４１１の両端に対応して位置する。
【００３０】
また、図７に示すように、ケーブル本体１０はさらに１つの電池Ｂと結合することができ、該電池Ｂは該第一信号アダプタ２０又は該第二信号アダプタ３０と電気通信で連接する。これにより、連接される設備に対して充電作業を行い、使用便利性を向上することができる。
【００３１】
なお、該第一信号アダプタ２０又は該第二信号アダプタ３０にさらに１つの充電進行状況表示器２１，３１を設けることができ、この充電進行状況表示器２１及び３１は、電流の流量検出により充電完了の状態に達するか確認し、これによって表示灯のカラー又は点滅周波数などの方式で状態を対応して表示する。
【００３２】
また、スライダー４０の上に１つの照明装置（図に示せず）を設けることができ、使用者が照明をしながら本考案を使用することに便利である。
【００３３】
あるいは、ケーブル本体１０に１つの発光装置を設け、ケーブル本体１０が発光させ、上記の充電の進行状況の表示状態と合わせる又は来電を感知すると発光し、通知の目的を達する。
【００３４】
また、カバー５０はスライダー４０に回動連接されるため、使用者が別にそれを収容する必要はなく、カバー５０が失う問題の発生を避ける。
【００３５】
且つ、図８に示すように、該ケーブル本体１０にさらに１つの装飾品Ｄを設けることができる。
【００３６】
さらに、カバー５０にはさらに１つの巻上げロープ５１を設けることができる。巻上げロープ５１により、装備の吊り上げ用穴又はカバンのジッパーなどの任意な位置に挿入して縛られ、携帯便利性を向上することができる。あるいは、カバー５０にはキーホルダーを連接し、キーに連接されて携帯されることに用い、有り合わせの物品との組み合わせにより、使用者の生活に便利性を向上する。
【００３７】
また、本実施例は、該スライダー４０又は該ケーブル本体１０にさらに画像表示装置、緊急遭難信号発送装置、又は物品注意装置と組み合わせることができる。画像表示装置によって、無線で表示画面と連接する又は直接に内部にタイム演算ユニットを設置してタイムなどの情報を表示する。緊急遭難信号発送装置は、緊急危険の状態が発生する時に、所在される経緯度位置の情報を発送し、最短の時間で救助されることができる。物品注意装置は、無線信号によって物品と信号接続をし、信号の距離が遠距離である又は消えると判断した場合、これを携帯する者へ信号を発送して警告し、付け忘れを注意する目的を達し、当然に、それが発送される信号の警告が上記の発光装置又は照明装置と組み合わせることができる。画像表示装置、緊急遭難信号発送装置、又は物品注意装置の構成の組成はいろいろあるため、当業者は異議なしにどのように達することを分かり、ここにこれらの装置の組成を説明することを省略する。
【００３８】
上述の実施形態は、本考案の技術思想と特徴を説明するためのものであり、その目的は、当業者が本考案の内容を理解し、実施できるようにすることであり、本考案を限定するものではない。即ち、本考案の主旨を逸脱しない範囲における同等効果である修飾又は変更は、本考案の実用新案登録請求の範囲に含まれる。
【００３９】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００４０】
１０……ケーブル本体
２０……第一信号アダプタ
２１……充電進行状況表示器
３０……第二信号アダプタ
３１……充電進行状況表示器
４０……スライダー
４１……通り穴
４１１……位置決め棒
５０……カバー
５１……巻上げロープ
Ｂ……電池
【図１】
0003198438.tif 000003
【図２】
0003198438.tif 000004
【図３】
0003198438.tif 000005
【図４】
0003198438.tif 000006
【図５】
0003198438.tif 000007
【図６】
0003198438.tif 000008
【図７】
0003198438.tif 000009
【図８】
0003198438.tif 000010